(57)【要約】      （修正有）【課題】交差領域の幅が他の領域に比べ大きくなることを防止することにより、交差領域がユーザに認識されることを防止する。【解決手段】タッチパネルは、辺１１５の交差領域に孔１２０が形成された単位パターン１１３の組合せからなる電極パターンを含む。前記辺は９０゜より大きいかまたは小さい角度で交差し、前記単位パターンは菱形であり、前記交差領域以外の領域の幅は一定である。【選択図】図４
2014063465.tif 000002
【特許請求の範囲】
【請求項１】
辺の交差領域に孔が形成された単位パターンの組合せからなる電極パターンを含むタッチパネル。
【請求項２】
前記辺は９０゜より大きいかまたは小さい角度で交差する、請求項１に記載のタッチパネル。
【請求項３】
前記単位パターンは菱形である、請求項１に記載のタッチパネル。
【請求項４】
前記交差領域以外の領域の幅は一定である、請求項１に記載のタッチパネル。
【請求項５】
前記孔は円形または多角形である、請求項１に記載のタッチパネル。
【請求項６】
前記多角形は三角形または四角形である、請求項５に記載のタッチパネル。
【請求項７】
前記孔は前記交差領域に囲まれるように形成される請求項１に記載のタッチパネル。
【請求項８】
前記電極パターンが形成された透明基板をさらに含む、請求項１に記載のタッチパネル。
【請求項９】
前記電極パターンは、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組合せで形成される、請求項１に記載のタッチパネル。
【請求項１０】
前記電極パターンは、銀塩乳剤層を露光／現像して形成される金属銀からなる、請求項１に記載のタッチパネル。
【発明の詳細な説明】
【技術分野】
【０００１】
本発明は、タッチパネルに関する。
【背景技術】
【０００２】
デジタル技術を用いるコンピュータが発達するにつれて、コンピュータの補助装置もともに開発されており、パソコン、携帯用送信装置、その他の個人用の情報処理装置などは、キーボード、マウスなどの様々な入力装置（Ｉｎｐｕｔ  Ｄｅｖｉｃｅ）を利用してテキスト及びグラフィック処理を行う。
【０００３】
しかし、情報化社会の急速な進行により、コンピュータの用途が益々拡大する傾向にあるため、現在入力装置の役割を担当しているキーボード及びマウスだけでは、効率的な製品の駆動が困難であるという問題点がある。従って、簡単で誤操作が少なく、誰でも簡単に情報を入力することができる機器の必要性が高まっている。
【０００４】
また、入力装置に関する技術は、一般的な機能を満たす水準を越えて、高信頼性、耐久性、革新性、設計及び加工に関する技術などが注目されており、このような目的を達成するために、テキスト、グラフィックなどの情報入力が可能な入力装置としてタッチパネル（Ｔｏｕｃｈ  Ｐａｎｅｌ）が開発された。
【０００５】
このようなタッチパネルは、電子手帳、液晶表示装置（ＬＣＤ；Ｌｉｑｕｉｄ  Ｃｒｙｓｔａｌ  Ｄｉｓｐｌａｙ  Ｄｅｖｉｃｅ）、ＰＤＰ（Ｐｌａｓｍａ  Ｄｉｓｐｌａｙ  Ｐａｎｅｌ）、Ｅｌ（Ｅｌｅｃｔｒｏｌｕｍｉｎｅｓｃｅｎｃｅ）などの平板ディスプレイ装置及びＣＲＴ（Ｃａｔｈｏｄｅ  Ｒａｙ  Ｔｕｂｅ）などのディスプレイの表示面に設けられ、ユーザがディスプレイを見ながら所望の情報を選択するようにするために利用される機器である。
【０００６】
また、タッチパネルの種類は、抵抗膜方式（Ｒｅｓｉｓｔｉｖｅ  Ｔｙｐｅ）、静電容量方式（Ｃａｐａｃｉｔｉｖｅ  Ｔｙｐｅ）、電磁方式（Ｅｌｅｃｔｒｏ−Ｍａｇｎｅｔｉｃ  Ｔｙｐｅ）、表面弾性波方式（ＳＡＷ  Ｔｙｐｅ；Ｓｕｒｆａｃｅ  Ａｃｏｕｓｔｉｃ  Ｗａｖｅ  Ｔｙｐｅ）及び赤外線方式（Ｉｎｆｒａｒｅｄ  Ｔｙｐｅ）に区分される。このような多様な方式のタッチパネルは、信号増幅の問題、解像度の差、設計及び加工技術の難易度、光学的特性、電気的特性、機械的特性、耐環境特性、入力特性、耐久性及び経済性を考慮して電子製品に採用されるが、現在もっとも幅広い分野で用いられている方式は、抵抗膜方式タッチパネル及び静電容量方式タッチパネルである。
【０００７】
一方、タッチパネルは、下記の先行技術文献に記載の特許文献のように、金属を用いて電極パターンを形成しようとする研究が活発に行われている。このように金属で電極パターンを形成すると、優れた電気伝導度を有し、需給が円滑であるという長所がある。しかし、金属で電極パターンを形成する場合、ユーザに認識されることを防止するために、マイクロメートル（μｍ）単位のメッシュ（Ｍｅｓｈ）構造に形成しなければならない。しかし、メッシュ構造は垂直に交差されないため、交差領域の幅が他の領域に比べ大きく、それによって交差領域がユーザに認識されるという問題点がある。
【先行技術文献】
【特許文献】
【０００８】
【特許文献１】特開２０１１-１７５９６７号公報
【発明の開示】
【発明が解決しようとする課題】
【０００９】
本発明は、上記の従来技術の問題点を解決するためのものであって、本発明の一側面は、電極パターンの交差領域に孔を形成することにより、交差領域の幅が交差領域以外の領域に比べ大きくなることを防止することができるタッチパネルを提供することをその目的とする。
【課題を解決するための手段】
【００１０】
本発明の実施例によるタッチパネルは、辺の交差領域に孔が形成された単位パターンの組合せからなる電極パターンを含む。
また、本発明の実施例によるタッチパネルにおいて、前記辺は９０゜より大きいかまたは小さい角度で交差する。
【００１１】
また、本発明の実施例によるタッチパネルにおいて、前記単位パターンは菱形である。
また、本発明の実施例によるタッチパネルにおいて、前記交差領域以外の領域の幅は一定である。
【００１２】
また、本発明の実施例によるタッチパネルにおいて、前記孔は円形または多角形である。
また、本発明の実施例によるタッチパネルにおいて、前記多角形は三角形または四角形である。
【００１３】
また、本発明の実施例によるタッチパネルにおいて、前記孔は前記交差領域に囲まれるように形成される。
また、本発明の実施例によるタッチパネルにおいて、前記電極パターンが形成された透明基板をさらに含む。
【００１４】
また、本発明の実施例によるタッチパネルにおいて、前記電極パターンは、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組合せで形成される。
また、本発明の実施例によるタッチパネルにおいて、前記電極パターンは、銀塩乳剤層を露光／現像して形成される金属銀からなる。
【発明の効果】
【００１５】
本発明によると、電極パターンの交差領域に孔を形成して、交差領域の幅が交差領域以外の領域に比べ大きくなることを防止することにより、交差領域がユーザに認識されることを防止することができる効果がある。
【発明を実施するための最良の形態】
【００１６】
本発明の目的、特定の長所及び新規の特徴は添付図面に係る以下の詳細な説明及び好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００１７】
以下、添付図面を参照して本発明の好ましい実施例を詳細に説明する。
図１から図３は本発明の実施例によるタッチパネルの平面図であり、図４は図１のＸ部分を拡大した平面図であり、図５は図２のＹ部分を拡大した平面図であり、図６は図３のＺ部分を拡大した平面図である。
【００１８】
図１から図６に図示されたように、本実施例によるタッチパネル１００は、辺１１５の交差領域に孔１２０が形成された単位パターン１１３の組合せからなる電極パターン１１０を含む。
【００１９】
前記電極パターン１１０は、ユーザがタッチする際に信号を発生させて、コントローラでタッチ座標を認識できるようにする役割を遂行するものである。ここで、電極パターン１１０は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組合せを用いて、マイクロメートル（μｍ）単位の微細パターンに形成することができる。また、電極パターン１１０は第１電極パターン１１０ａ及び第２電極パターン１１０ｂを含むことができる。この際、第１電極パターン１１０ａと第２電極パターン１１０ｂは、互いに異なる層に形成されることができる。但し、電極パターン１１０が二つの電極パターン（第１電極パターン１１０ａ及び第２電極パターン１１０ｂ）を含むことに限定されず、一つの電極パターン１１０で構成されてもよい。一方、電極パターン１１０は、メッキ工程またはスパッタ（Ｓｐｕｔｔｅｒ）を用いた蒸着工程により形成することができる。また、電極パターン１１０を銅（Ｃｕ）などの金属で形成する場合、電極パターン１１０の表面は黒化処理することができる。ここで、黒化処理とは、電極パターン１１０の表面を酸化させてＣｕ２ＯまたはＣｕＯなどを析出させることであり、Ｃｕ２Ｏは茶色を呈するためブラウンオキサイド（Ｂｌｏｗｎ  Ｏｘｉｄｅ）といい、ＣｕＯは黒色を呈するためブラックオキサイド（Ｂｌａｃｋ  Ｏｘｉｄｅ）という。このように、電極パターン１１０の表面を黒化処理することにより、光が反射することを防止することができ、これによってタッチパネル１００の視認性を改善することができる長所がある。一方、上述の金属の他にも、電極パターン１１０は銀塩乳剤層を露光／現像して形成された金属銀を用いて形成してもよい。
【００２０】
また、電極パターン１１０は、図４から図６に図示されたように、菱形の単位パターン１１３の組合せであるメッシュ（Ｍｅｓｈ）構造に形成されることができる。ここで、単位パターン１１３の辺１１５は、通常、９０゜より大きいかまたは小さい角度で交差することができる。即ち、単位パターン１１３の辺１１５は、互いに鋭角αまたは鈍角βで交差することができる。このように、単位パターン１１３の辺１１５が鋭角αまたは鈍角βで交差すると、辺１１５の交差領域の幅は、交差領域以外の幅に比べ大きい。具体的には、交差領域の上下幅Ａ、交差領域の左右幅Ｂ及び辺１１５の幅Ｃを比較すると（図４参照）、交差領域の上下幅Ａ、交差領域の左右幅Ｂ、辺１１５の幅Ｃの順に大きい（Ａ＞Ｂ＞Ｃ）。この際、上下幅Ａと左右幅Ｂは交差領域の幅に対応し、辺１１５の幅Ｃは交差領域以外の幅に対応するため、交差領域の幅が交差領域以外の幅に比べ大きいことが分かる。従って、交差領域が交差領域以外に比べユーザに認識される可能性が大きい。しかし、本実施例によるタッチパネル１００は、交差領域に孔１２０が形成されて、交差領域の幅が実質的に減少するため、交差領域の幅が交差領域以外の幅に比べ大きくなることを防止することができる。ここで、孔１２０は円形であることができるが（図４参照）、本発明の権利範囲がこれに限定されるものではない。例えば、孔１２０は三角形（図５参照）または四角形（図６参照）などを含む多角形であることができる。また、孔１２０の位置は特に限定されないが、交差領域に囲まれるように形成されることができる。一方、交差領域以外の特定部分がユーザに認識されることを防止するために、交差領域以外の幅（辺１１５の幅Ｃ）は一定である。
【００２１】
また、図７から図９は本発明の実施例によるタッチパネルの断面図である。図７に図示されたように、本実施例によるタッチパネル１００は、一面に第１電極パターン１１０ａが形成され、他面に第２電極パターン１１０ｂが形成される透明基板１３０を含むことができる。ここで、透明基板１３０は、第１、２電極パターン１１０ａ、１１０ｂが形成される領域を提供する。但し、一つの透明基板１３０の両面に第１電極パターン１１０ａ及び第２電極パターン１１０ｂが形成されることに限定されるものではない。即ち、図８に図示されたように、透明基板１３０に第１電極パターン１１０ａを形成した後、透明基板１３０に絶縁層１４０を形成し、絶縁層１４０に第２電極パターン１１０ｂを形成することができる。さらに、図９に図示されたように、二つの透明基板１３０を備え、二つの透明基板１３０にそれぞれ第１電極パターン１１０ａと第２電極パターン１１０ｂを形成することができる。この場合、二つの透明基板１３０は接着層１５０により接着されることができる。一方、透明基板１３０は、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルフォン（ＰＥＳ）、環状オレフィンコポリマー（ＣＯＣ）、トリアセチルセルロース（Ｔｒｉａｃｅｔｙｌｃｅｌｌｕｌｏｓｅ；ＴＡＣ）フィルム、ポリビニルアルコール（Ｐｏｌｙｖｉｎｙｌ  ａｌｃｏｈｏｌ；ＰＶＡ）フィルム、ポリイミド（Ｐｏｌｙｉｍｉｄｅ；ＰＩ）フィルム、ポリスチレン（Ｐｏｌｙｓｔｙｒｅｎｅ；ＰＳ）、二軸延伸ポリスチレン（Ｋ樹脂含有ｂｉａｘｉａｌｌｙ  ｏｒｉｅｎｔｅｄ  ＰＳ；ＢＯＰＳ）、ガラスまたは強化ガラスなどで形成することができるが、必ずしもこれに限定されるものではない。また、透明基板１３０と電極パターン１１０の接着力を向上させるために、透明基板１３０に高周波処理またはプライマー（Ｐｒｉｍｅｒ）処理を施すことができる。
【００２２】
さらに、電極パターン１１０の縁部には、電極パターン１１０からの電気的信号を送／受信する電極配線が形成される。この際、電極配線を電極パターン１１０と一体に形成することにより、製造工程を簡素化し、リードタイム（Ｌｅａｄ  Ｔｉｍｅ）を短縮することができる。また、電極配線と電極パターン１１０を一体に形成することにより、電極配線と電極パターン１１０との接合工程を省略することができるため、電極配線と電極パターン１１０との間に生じる段差や接合不良の問題を予め防止することができる効果がある。
【００２３】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
本発明の単純な変形乃至変更はいずれも本発明の領域に属するものであり、本発明の具体的な保護範囲は添付の特許請求の範囲により明確になるであろう。
【図面の簡単な説明】
【００２４】
【図１】本発明の実施例によるタッチパネルの平面図である。
【図２】本発明の実施例によるタッチパネルの平面図である。
【図３】本発明の実施例によるタッチパネルの平面図である。
【図４】図１のＸ部分を拡大した平面図である。
【図５】図２のＹ部分を拡大した平面図である。
【図６】図３のＺ部分を拡大した平面図である。
【図７】本発明の実施例によるタッチパネルの断面図である。
【図８】本発明の実施例によるタッチパネルの断面図である。
【図９】本発明の実施例によるタッチパネルの断面図である。
【符号の説明】
【００２５】
１００  タッチパネル
１１０  電極パターン
１１０ａ  第１電極パターン
１１０ｂ  第２電極パターン
１１３  単位パターン
１１５  辺
１２０  孔
１３０  透明基板
１４０  絶縁層
１５０  接着層
Ａ  交差領域の上下幅
Ｂ  交差領域の左右幅
Ｃ  辺の幅
α  鋭角
β  鈍角
【図１】
2014063465.tif 000003
【図２】
2014063465.tif 000004
【図３】
2014063465.tif 000005
【図４】
2014063465.tif 000006
【図５】
2014063465.tif 000007
【図６】
2014063465.tif 000008
【図７】
2014063465.tif 000009
【図８】
2014063465.tif 000010
【図９】
2014063465.tif 000011